(57)【要約】      （修正有）【課題】簡単・安価な構成で、拭き取り部材が、車椅子の主輪の外周面に適切に接触できて効果的に汚れを除去でき、その拭き取り部材を容易に出し入れできて簡単に用いることができる車椅子主輪用の汚れ拭き取り具を提供すること。【解決手段】拭き取り部材２０を、車椅子の主輪１１の外周面１２に主輪１１の走行方向へ沿って面として接触させ、主輪１１の汚れを拭き取ることができる状態に保持するように、車椅子に装着され、拭き取り部材２０における前端面２１及び前方先端部の下面２２に当接する前端面保持部３１及び前方先端部の下面保持部３２を備えると共に、拭き取り部材２０の主輪１１の巾方向への移動を規制する側壁部３４を備えることで、下面開口部３５が設けられている拭き取り部材用収納ボックス３０に、拭き取り部材２０が収納されている。【選択図】図１
2017038863.tif 000002
【特許請求の範囲】
【請求項１】
拭き取り部材を、車椅子の主輪に該主輪の走行方向へ沿って面として接触させ、該主輪の汚れを拭き取ることができる状態に保持するように、
前記車椅子に装着され、前記拭き取り部材における前端面及び前方先端部の下面に当接する前端面保持部及び前方先端部の下面保持部を備えると共に、該拭き取り部材の前記主輪の巾方向への移動を規制する側壁部を備えることで、下面開口部が設けられている拭き取り部材用収納ボックスに、
前記拭き取り部材が収納されていることを特徴とする車椅子主輪用の汚れ拭き取り具。
【請求項２】
前記拭き取り部材用収納ボックスが、前記拭き取り部材における後端面及び後方先端部の下面に当接する後端面保持部及び後方先端部の下面保持部を備えることを特徴とする請求項１に記載の車椅子主輪用の汚れ拭き取り具。
【請求項３】
前記拭き取り部材が、タオルであって棒状のおしぼり状に巻かれて構成されていることを特徴とする請求項１又は２記載の車椅子主輪用の汚れ拭き取り具。
【請求項４】
前記拭き取り部材用収納ボックスの上面が開閉できるように上面蓋が設けられていることを特徴とする請求項１〜３のいずれかに記載の車椅子主輪用の汚れ拭き取り具。
【発明の詳細な説明】
【技術分野】
【０００１】
この発明は、拭き取り部材を、車椅子の主輪の外周面に該主輪の走行方向へ沿って面として接触させ、該主輪の汚れを拭き取ることができる状態に保持する車椅子主輪用の汚れ拭き取り具に関する。
【背景技術】
【０００２】
車椅子は、室内と室外とを行き来するように利用されるものであり、タイヤ（特に主輪）が汚れると、車椅子の使用者自身とその衣服や、床など、室内を汚すことになるため、汚れたタイヤをきれいにする必要が生じる。特に主輪は大きく、その汚れを除去にするためには、雑巾などによる拭き取り作業など、多大の手間と労力がかかっている。
【０００３】
これに対しては、本体の取り付け部、挿入ロック部と、タイヤを清掃する砂落とし用のブラシ、拭き取り用の布と、それらを接続するクッションアームや角度調節部、砂受けカゴから構成される、小型軽量の車椅子用タイヤクリーナー（特許文献１）が、先に提案されている。この構成によれば、クッションアームが、砂落とし用のブラシや拭き取り用の布をタイヤに接触させる機能を備えている。
【先行技術文献】
【特許文献】
【０００４】
【特許文献１】特開２０１５−８３１０７号公報
【発明の概要】
【発明が解決しようとする課題】
【０００５】
車椅子主輪用の汚れ拭き取り具に関して解決しようとする問題点は、先に提案されている車椅子用タイヤクリーナーでは、クッションアームや角度調節部という構成を必須要件とし、構成が複雑になっているため、より安価に製造することが難しく、より簡単に用いることが難しいことにある。
そこで本発明の目的は、簡単・安価な構成で、拭き取り部材が、車椅子の主輪の外周面（タイヤの接地外周面）に適切に接触できて効果的に汚れを除去でき、その拭き取り部材を容易に出し入れできて簡単に用いることができる車椅子主輪用の汚れ拭き取り具を提供することにある。
【課題を解決するための手段】
【０００６】
本発明は、上記目的を達成するために次の構成を備える。
本発明にかかる車椅子主輪用の汚れ拭き取り具の一形態によれば、拭き取り部材を、車椅子の主輪の外周面に該主輪の走行方向へ沿って面として接触させ、該主輪の汚れを拭き取ることができる状態に保持するように、前記車椅子に装着され、前記拭き取り部材における前端面及び前方先端部の下面に当接する前端面保持部及び前方先端部の下面保持部を備えると共に、該拭き取り部材の前記主輪の巾方向への移動を規制する側壁部を備えることで、下面開口部が設けられている拭き取り部材用収納ボックスに、前記拭き取り部材が収納されている。
【０００７】
また、本発明にかかる車椅子主輪用の汚れ拭き取り具の一形態によれば、前記拭き取り部材用収納ボックスが、前記拭き取り部材における後端面及び後方先端部の下面に当接する後端面保持部及び後方先端部の下面保持部を備えることを特徴とすることができる。
【０００８】
また、本発明にかかる車椅子主輪用の汚れ拭き取り具の一形態によれば、前記拭き取り部材が、タオルであって棒状のおしぼり状に巻かれて構成されていることを特徴とすることができる。
【０００９】
また、本発明にかかる車椅子主輪用の汚れ拭き取り具の一形態によれば、前記拭き取り部材用収納ボックスの上面が開閉できるように上面蓋が設けられていることを特徴とすることができる。
【発明の効果】
【００１０】
本発明にかかる車椅子主輪用の汚れ拭き取り具によれば、簡単・安価な構成で、拭き取り部材が、車椅子の主輪の外周面（タイヤの接地外周面）に適切に接触できて効果的に汚れを除去でき、その拭き取り部材を容易に出し入れできて簡単に用いることができるという特別有利な効果を奏する。
【図面の簡単な説明】
【００１１】
【図１】本発明に係る車椅子主輪用の汚れ拭き取り具の形態例を示す側面図である。
【図２】図１の形態例の正面図である。
【図３】図１の形態例が装着された車椅子の全体形状を示す側面図である。
【図４】図１の形態例が装着された車椅子の全体形状を示す正面図である。
【図５】本発明に係る車椅子主輪用の汚れ拭き取り具の装着位置が異なる他の形態例を示す側面図である。
【図６】図５の形態例の正面図である。
【図７】図５の形態例が装着された車椅子の全体形状を示す側面図である。
【図８】図５の形態例が装着された車椅子の全体形状を示す正面図である。
【図９】上面蓋の他の形態例を示す正面図である
【図１０】車椅子の走行ストッパの形態例を示す背面斜視図である。
【発明を実施するための形態】
【００１２】
以下、本発明に係る車椅子主輪用の汚れ拭き取り具の形態例を添付図面（図１〜図８）に基づいて詳細に説明する。本発明の車椅子主輪用の汚れ拭き取り具は、拭き取り部材２０を、車椅子１０の主輪１１の外周面１２にその主輪１１の走行方向へ沿って面として接触させ、その主輪１１の汚れを拭き取ることができる状態に保持するものである。
【００１３】
３０は拭き取り部材用収納ボックスであり、車椅子１０に装着され、拭き取り部材２０における前端面２１及び前方先端部の下面２２に当接する前端面保持部３１及び前方先端部の下面保持部３２を備えると共に、その拭き取り部材２０の主輪１１の巾方向への移動を規制する側壁部３３、３４を備えることで、下面開口部３５が設けられているものである。なお、この拭き取り部材用収納ボックス３０は、側壁部３３の側で車椅子１０に装着・固定され、側壁部３４の側は外側に位置している。
【００１４】
この拭き取り部材用収納ボックス３０によれば、拭き取り部材２０を簡単・適切に収納することができる。すなわち、簡単・安価な構成で、拭き取り部材２０が、車椅子１０の主輪１１の外周面１２（タイヤの接地外周面）に適切に接触できて効果的に汚れを除去でき、その拭き取り部材２０を容易に出し入れできて簡単に用いることができる。
【００１５】
さらに詳細には、車椅子１０の利用者が主輪１１を自ら回転させる場合、或いは車椅子１０を補助者よって走行させる場合のいずれであっても、順方向の回転である前方へ主輪１１を回転させる場合、その主輪１１の回転動作につられ、拭き取り部材２０が前方へ押され、その際に、拭き取り部材２０は、拭き取り部材用収納ボックス３０の前端面保持部３１及び前方先端部の下面保持部３２によって適切に受けられ、脱落しないと共に、主輪１１の外周面１２と拭き取り部材用収納ボックス３０との間に食い込むことがない。同時に、拭き取り部材２０が、主輪１１の回転による前方へ引き摺られる力を前端面保持部３１によって受けられることで圧迫され、その拭き取り部材２０が、主輪１１の外周面１２に押し付けられて適切に圧接することになる。これによれば、拭き取り部材２０によって、主輪１１の外周面１２に対する拭き取りによるクリーニングが適切な圧力によって好適になされることになる。
【００１６】
また、拭き取り部材用収納ボックス３０が、拭き取り部材２０における後端面２６及び後方先端部の下面２７に当接する後端面保持部３６及び後方先端部の下面保持部３７を備えてもよい。これによれば、拭き取り部材２０が、逆方向の回転である後方へ主輪１１を回転する主輪１１の回転動作につられて後方へ押されても、脱落しないと共に、主輪１１の外周面１２と拭き取り部材用収納ボックス３０との間に食い込むことがなく、且つ前述したように、拭き取り部材２０によって、主輪１１の外周面１２に対する拭き取りによるクリーニングが適切な圧力によって好適になされることになる。
【００１７】
本形態例では、拭き取り部材２０が、タオルであって棒状のおしぼり状に巻かれて構成されている。棒状のおしぼり状とは、ハンドタオルなどの布を、そのまま或いは場合によっては複数折りに折り畳んだものを巻き物のように丸めて形成される形態のことである。これによれば、適度に硬さや弾性を有すると共に、主輪１１の外周面１２に適度に接触できる軟らかさを有する適切な拭き取り部材２０になっている。
【００１８】
また、拭き取り部材２０としては、タオルに限定されるものではなく、使い捨ての不織布、さらに布材に限定されず、紙やプラスチックの素材から成るもの、スポンジ状のものなど、また、水に濡れたもの（濡れタオルなど）に限定されず、乾いた状態、水以外の液体（クリーニング用の液剤など）に濡れたものなど、既知の技術を適宜選択的に用いることができることは勿論である。
【００１９】
図１〜４に示した形態例では、拭き取り部材用収納ボックス３０が、車椅子１０の手すり部１４の下側に設けられた車椅子の側板１５にボルト・ナットよって装着されている。
これによれば、車椅子１０の適切な位置に、拭き取り部材用収納ボックス３０を簡単に装着できると共に、手すり部１４に近接するため、車椅子１０の使用者が拭き取り部材２０の出し入れを容易に行うことができる。
【００２０】
図５〜８に示した形態例では、拭き取り部材用収納ボックス３０が、車椅子の縦フレーム１６にＵ字状ボルト１７によって装着されている。
これによっても、車椅子１０の適切な位置に、拭き取り部材用収納ボックス３０を簡単に装着できる。また、拭き取り部材用収納ボックス３０が車椅子１０の後方に装着されることになるため、車椅子１０の使用者を介護する補助者が、車椅子１０の操作と共に拭き取り部材２０の出し入れを容易に行うことができる。
【００２１】
また、本形態例では、拭き取り部材用収納ボックス３０の上面が開閉できるように上面蓋３８が設けられている。この上面蓋３８は、上面蓋のストッパ３９によって閉じた状態にロックすることができる。上面蓋３８は、拭き取り部材用収納ボックス３０に収納された拭き取り部材２０を押えることができる。このため、拭き取り部材２０を、主輪１１の外周面１２に対して適切に圧接することが可能であり、拭き取りによるクリーニングを適切に行うことができる。
【００２２】
なお、拭き取り部材用収納ボックス３０の各部材（前端面保持部３１、前方先端部の下面保持部３２、側壁部３３、３４、後端面保持部３６、後方先端部の下面保持部３７）は、拭き取り部材２０を適切に保持できるものであれば、その形態は特に限定されるものではない。例えば、その各部材は、通常の箱体を形成する板状の材料に限定されることはなく、格子状や柵状の部材、網目状の部材、或いは有孔板などによって形成されていてもよい。格子状などの部材や凹凸がある部材によれば、拭き取り部材２０が滑らないように、より適切に保持できる。
【００２３】
また、図９に示すように、拭き取り部材用収納ボックス３０の上面蓋３８が、外側の側壁部３４に蝶番によって装着され、内側が開閉する形態であってもよい。これによれば、内側が開くため、車椅子の使用者が操作し易い利点がある。さらに、図９に示すように、上面蓋３８が、外側の蝶番へ向って傾斜するように装着されていてもよい。その傾斜した分についてコンパクトに構成できると共に、その上面蓋３８によって拭き取り部材２０を圧迫し易くなり、拭き取り部材２０を主輪１１の外周面１２へ適切に圧接できる。これによれば、拭き取り部材２０による拭き取り効果を向上できる。
【００２４】
また、本形態例では、図１０に示すように、主輪１１の回転を、主輪１１のスポーク１３に当接して阻止するように、主輪ストッパ４０が設けられている。
これによれば、車椅子１０の使用者を介護する補助者が、車椅子１０の運転操作と共に、車椅子の駐車操作を容易に行うことができる。
【００２５】
さらに、ブラシ５０（図７参照）を、拭き取り部材用収納ボックス３０の後方側に設けても良い。これによれば、拭き取り部材２０によって主輪１１の外周面１２を拭き取る前に、その外周面１２をブラッシングすることができ、効果的に汚れを取ることができる。
【００２６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２７】
１０  車椅子
１１  主輪
１２  外周面
１３  スポーク
１４  手すり部
１５  車椅子の側板
１６  車椅子の縦フレーム
１７  Ｕ字状ボルト
２０  拭き取り部材
２１  前端面
２２  前方先端部の下面
２６  後端面
２７  後方先端部の下面
３０  拭き取り部材用収納ボックス
３１  前端面保持部
３２  前方先端部の下面保持部
３３  側壁部
３４  側壁部
３５  下面開口部
３６  後端面保持部
３７  後方先端部の下面保持部
３８  上面蓋
３９  上面蓋のストッパ
４０  主輪ストッパ
５０  ブラシ
【図１】
2017038863.tif 000003
【図２】
2017038863.tif 000004
【図３】
2017038863.tif 000005
【図４】
2017038863.tif 000006
【図５】
2017038863.tif 000007
【図６】
2017038863.tif 000008
【図７】
2017038863.tif 000009
【図８】
2017038863.tif 000010
【図９】
2017038863.tif 000011
【図１０】
2017038863.tif 000012